(57)【要約】【課題】反射板を大きく傾斜させたときの光漏れを防止することができる照明器具を提供する。【解決手段】実施形態の一例である照明器具１００は、光源部５０と、光源部５０を支持する本体１０と、光源部５０から出射される光を反射する反射板４０と、備える照明器具１００であって、反射板４０は、本体１０に対してＹ方向の後方に向かって傾斜可能であって、出射方向に向かって拡径する筒状に形成され、反射板４０の小径側かつＹ方向の前側には、略半円筒形状の壁部４２が形成される。【選択図】図３
2020145134.tif 000002
【特許請求の範囲】
【請求項１】
光源部と、前記光源部を保持する本体と、前記光源部から出射される光を反射する反射板と、を備える照明器具であって、
前記反射板は、前記本体に対し所定方向の一側に向かって傾斜可能であって、出射方向に向かって拡径する筒状に形成され、
前記反射板の小径側かつ前記所定方向の他側には、略半円筒形状の壁部が形成される、照明器具。
【請求項２】
前記壁部には、突起部が形成される、請求項１記載の照明器具。
【請求項３】
前記反射板は、弾性部材を介して前記本体に支持され、
前記突起部は、前記弾性部材を保持する、請求項２記載の照明器具。
【請求項４】
前記突起部には、落下防止ワイヤーが固定される、請求項２記載の照明器具。
【請求項５】
前記壁部の内面は、黒色である、請求項１から４のいずれか１項に記載の照明器具。
【請求項６】
前記壁部の内面には、凹凸が形成される、請求項１から５のいずれか１項に記載の照明器具。
【請求項７】
前記壁部の側端面は、傾斜している、請求項１から６のいずれか１項に記載の照明器具。
【請求項８】
前記光源部から出射される光の配光を制御するレンズと、
前記光源部と前記レンズとの間に設けられる遮光板と、をさらに備え、
前記光源部の周囲部品は、白色である、
請求項１から７のいずれか１項に記載の照明器具。
【請求項９】
前記遮光板には、開口部が形成される、請求項８に記載の照明器具。
【請求項１０】
前記遮光板の前記レンズを向く面は、黒色である、請求項８または９に記載の照明器具。
【請求項１１】
前記遮光板を収納する取付台をさらに備え、
前記取付台の内面は、黒色である、請求項８から１０のいずれか１項に記載の照明器具。
【発明の詳細な説明】
【技術分野】
【０００１】
本開示は、照明器具に関する。
【背景技術】
【０００２】
天井に光源を埋め込んだ照明器具としてのダウンライトは、公知である。例えば、特許文献１には、筒状の反射板を備えるダウンライトが開示される。
【先行技術文献】
【特許文献】
【０００３】
【特許文献１】特開２０１０−１７０７３９号公報
【発明の概要】
【発明が解決しようとする課題】
【０００４】
ダウンライトには、本体に反射板が傾斜可能に支持されるものがある。本体に反射板が傾斜可能に支持されるダウンライトにおいて、本体に対し反射板を大きく傾斜させたときには、本体と反射板との隙間から光が漏れるおそれがある。
【０００５】
本開示の目的は、反射板を大きく傾斜させたときの光漏れを防止することができる照明器具を提供することである。
【課題を解決するための手段】
【０００６】
本開示の一態様である照明器具は、光源部と、光源部を支持する本体と、光源部から出射される光を反射する反射板と、を備える照明器具であって、反射板は、本体に対し所定方向の一側に向かって傾斜可能であって、出射方向に向かって拡径する筒状に形成され、反射板の小径側かつ所定方向の他側には、略半円筒形状の壁部が形成される。
【発明の効果】
【０００７】
本開示の一態様によれば、反射板を大きく傾斜させたときの光漏れを防止することができる照明器具を提供することができる。
【図面の簡単な説明】
【０００８】
【図１】照明器具の外部構成を示す斜視図である。
【図２】照明器具の内部構成を示す側面断面図である。
【図３】反射板を示す斜視図である。
【図４】反射板を示す側面断面図である。
【図５】光源部の周囲部品の構成を示す斜視図である。
【図６】遮光板を示す斜視図である。
【図７】遮光板を示す側面断面図である。
【発明を実施するための形態】
【０００９】
以下、図面を参照しながら、実施形態の一例を詳細に説明する。実施形態において参照する図面は、模式的に記載されたものであるから、図面に描画された構成要素の寸法などは、以下の説明を参酌して判断されるべきである。本明細書において、「略〜」との記載は、略同一を例に説明すると、完全に同一はもとより、実質的に同一と認められる場合を含む意図である。以下で説明する実施形態は例示であって、本開示の照明器具はこれに限定されない。
【００１０】
図１および図２を用いて、照明器具１００の構成について説明する。図１は、照明器具１００の外部構成を表す斜視図である。図２は、照明器具１００の内部構成を表す側面断面図である。
【００１１】
本実施形態の照明器具１００は、天井に埋め込んで取り付けるダウンライトである。照明器具１００が設置される際には、反射板４０が天井面に固定される。
【００１２】
本実施形態の照明器具１００では、反射板４０が本体１０に対し所定方向の一側に向かって傾斜可能に支持される。そのため、照明器具１００は、「最大傾斜姿勢」から「鉛直姿勢」まで姿勢を変更することができる。図１および図２で示す照明器具１００は、「最大傾斜姿勢」である。「鉛直姿勢」では、照明器具１００の光軸Ｊが鉛直方向と略一致する。
【００１３】
以下では、各図に示すように、ＸＹＺ方向を定義する。すなわち、反射板４０が固定される天井面をＸＹ平面とする。天井面に垂直な鉛直方向をＺ方向とする。ＹＺ平面に沿って反射板４０に対し本体１０が傾斜する。「最大傾斜姿勢」では、反射板４０に対し本体１０がＹ方向の後側に向かって傾斜する。言い換えれば、「最大傾斜姿勢」では、本体１０に対し反射板４０がＹ方向の後側に向かって傾斜する。説明を分かり易くするため、反射板４０以外の部材は、照明器具１００が「鉛直状態」であるとして説明する。
【００１４】
照明器具１００は、本体１０と、取付台２０と、支持台３０と、反射板４０と、光源部５０と、遮光板６０と、レンズ７０と、を備える。
【００１５】
本体１０は、光源部５０を保持する。本体１０は、略円柱形状に形成される。本体１０は、放熱部１０Ａと、底部１０Ｂと、から形成される。
【００１６】
放熱部１０Ａには、複数のフィンが形成される。放熱部１０Ａは、底部１０Ｂの上側に形成される。放熱部１０Ａは、光源部５０において発生した熱を周囲の空気に放散させる。放熱部１０Ａは、例えばアルミニウム又はアルミニウム合金などの熱伝導率が高い金属材料で形成される。
【００１７】
底部１０Ｂは、略円盤形状に形成される。底部１０Ｂの下面には、光源部５０と、保持部材５５と、２つの接続部材５６と、が取り付けられる（図５参照）。光源部５０、保持部材５５および接続部材５６の詳細は、後述する。
【００１８】
取付台２０は、本体１０の下側に固定される。取付台２０は、略筒形状に形成される。取付台２０の内面は、黒色である。取付台２０の内部には、遮光板６０と、レンズ７０と、が収納される。遮光板６０およびレンズ７０の詳細は、後述する。
【００１９】
本実施形態では、「黒色である」とは、部材に黒い塗料が塗布されることであるが、本開示はこれに限定されない。本開示の「黒色である」とは、予め黒色の材料の部材を用いることも含む。以下も同様である。
【００２０】
支持台３０は、取付台２０の下側に固定される。支持台３０は、下側が斜めに切り欠かれた略筒形状に形成される。より詳細には、支持台３０の下側の開口部は、後方かつ上方に向かって傾斜して形成される。
【００２１】
反射板４０は、光源部５０から出射される光を反射する。反射板４０は、支持台３０の下側にＹ方向の後側に向かって傾斜可能に支持される。反射板４０は、出射方向（Ｚ方向の下方）に向かって拡径する略筒形状に形成される。反射板４０は、弾性部材としての板バネＳ（図示なし）を介して、支持台３０の下側に支持される。照明器具１００が設置される際には、反射板４０が天井面に固定される。反射板４０の詳細は、後述する。
【００２２】
反射板４０は、支持板４５を介して支持台３０にＹ方向の後側に向かって傾斜可能に支持される。支持板４５の上部には、弧状の長孔４５Ａが形成される。支持板４５の長孔４５Ａを貫通するネジＮによって、支持板４５が支持台３０に締結される。支持板４５の下部は、反射板４０に固定される。このような構成とすることで、長孔４５ＡにてネジＮの締結位置を変更することによって、支持台３０に対する反射板４０の傾斜位置が変更される。
【００２３】
このような構成とすることで、本体１０、取付台２０および支持台３０は、天井面に固定された反射板４０に対しＹ方向の後方に向かって傾斜可能である。このようにして、照明器具１００は、「鉛直姿勢」から「最大傾斜姿勢」まで姿勢を変更することができる。
【００２４】
光源部５０は、発光素子を有する発光モジュールである。発光素子は、所定の光を放射状に出射する、例えばＬＥＤ（Ｌｉｇｈｔ  Ｅｍｉｔｔｉｎｇ  Ｄｅｖｉｃｅ）である。
【００２５】
光源部５０は、ＣＯＢ（Ｃｈｉｐ  Ｏｎ  Ｂｏａｒｄ）型ＬＥＤで構成され、基台５１と、発光部５２と、を備える（図５参照）。発光部５２は、基台５１上に実装されたベアチップ（ＬＥＤチップ）である複数のＬＥＤチップと、ＬＥＤチップを封止する封止部材と、を備える。
【００２６】
レンズ７０は、光源部５０から入射した光の配光を制御して出射する機能を有する。レンズ７０の光入射面には、ディンプル加工が施される。レンズ７０の光出射面には、同心円状に配置された複数のプリズムからなるフレネルレンズが形成される。
【００２７】
このような構成とすることで、レンズ７０は、出射する光を拡散させることができる。また、レンズ７０は、光の照度ムラ及び色ムラを抑制することができる。さらにレンズ７０は、均一に被照射物を照らすことができる。
【００２８】
図３および図４を用いて、反射板４０の構成について説明する。図３は、反射板４０の構成を表す斜視図である。また、図４は、反射板４０の構成を表す側面断面図である。
【００２９】
反射板４０は、上述したように、Ｚ方向の下方に向かって拡径する略筒形状に形成される。反射板４０は、成形加工によって成形される。反射板４０は、例えば樹脂製等である。反射板４０には、本体４１と、壁部４２と、突起部としての２つのバネ保持部４３と、突起部としてのワイヤー固定部４４と、が形成される。本体４１、壁部４２、バネ保持部４３、およびワイヤー固定部４４は、一体して形成される。
【００３０】
本体４１は、Ｚ方向の下方に向かって拡径する略筒形状に形成される。より詳細には、本体４１は、上端側の小径端部４１Ａから下端側の大径端部４１Ｂに向かって拡径する略筒形状に形成される。小径端部４１Ａは、後方かつ下方に向かって傾斜して形成される。
【００３１】
本体４１の内面４１Ｃは、例えばアルミ蒸着による鏡面処理が施され、反射面として形成される。このような構成とすることで、反射面では、光が良好に反射される。反射面は、アルミ蒸着による鏡面処理に限定されない。例えば、金属薄膜や誘電体多層膜などの反射膜を、熱蒸着法、電子ビーム蒸着法、スパッタ法またはメッキなどの方法によって形成しても良い。
【００３２】
壁部４２は、略半円筒形状に形成される。壁部４２は、本体４１の小径端部４１ＡのＹ方向の前側に形成される。壁部４２は、Ｚ方向の上向きに延出して形成される。壁部４２のそれぞれの側端面４２Ａは、Ｙ方向の左右側に形成される。側端面４２Ａは、Ｙ方向の後方かつ下方に向かって傾斜して形成される。
【００３３】
壁部４２の内面４２Ｂは、黒色である。また、壁部４２の内面４２Ｂには、Ｚ方向に沿って凹凸が形成される。
【００３４】
バネ保持部４３は、板バネＳを保持する。バネ保持部４３は、壁部４２の外面の左右側のそれぞれに形成される。バネ保持部４３は、ＹＺ平面の断面視にて略Ｕ字形状に形成される。バネ保持部４３が形成される位置は、壁部４２の外面であれば、特に限定しない。より詳細には、バネ保持部４３の端面に板バネＳが当接することによって、バネ保持部４３が板バネＳを保持する。
【００３５】
ワイヤー固定部４４には、落下防止ワイヤー（図示なし）が固定される。ワイヤー固定部４４は、壁部４２の外面のＹ方向の前側に形成される。ワイヤー固定部４４が形成される位置は、壁部４２の外面であれば、特に限定しない。
【００３６】
ワイヤー固定部４４は、ＸＺ平面の断面視にて略逆Ｕ字形状に形成される。ワイヤー固定部４４の上面には、ワイヤーの一端に取り付けられる圧着端子が嵌合するように形成される。
【００３７】
本開示の「突起部」は、本実施形態のバネ保持部４３およびワイヤー固定部４４を含むが、これに限定されない。本開示の「突起部」は、設計上において壁部４２の外面から突起して形成されるもの全てを含む。
【００３８】
反射板４０の作用および効果について説明する。反射板４０によれば、壁部４２を形成することによって、照明器具１００が「最大傾斜状態」の場合であっても、反射板４０と支持台３０との隙間から光が漏れることはない。
【００３９】
また、例えば、反射板４０の本体４１の外面に突起部が形成される場合には、本体４１の内面４１Ｃにヒケが生じるおそれがある。本体４１の内面４１Ｃがアルミ蒸着によって鏡面処理される場合には、鏡面にヒケが生じることになる。鏡面に生じたヒケは、非常に目立つため、外観を損ねることになる。
【００４０】
しかし、反射板４０によれば、壁部４２を形成し、壁部４２にバネ保持部４３およびワイヤー固定部４４を形成することによって、反射板４０の成形時のヒケが壁部４２に生じる。成形時のヒケが壁部４２に生じることによって、鏡面処理が施された本体４１の内面４１Ｃにヒケが生じることはない。
【００４１】
反射板４０によれば、壁部４２の内面４２Ｂを黒色にすることによって、内面４２Ｂで反射した光の光ムラを抑制することができる。
【００４２】
反射板４０によれば、壁部４２の内面４２Ｂに凹凸を形成することによって、反射板４０の成形時に生じるヒケを目立たなくすることができる。
【００４３】
反射板４０によれば、壁部４２の側端面４２ＡをＹ方向の後方かつ下方に向かって傾斜して形成することによって、「最大傾斜状態」の場合であっても、壁部４２と支持台３０とが、または、壁部４２とレンズ７０とが干渉することがない。
【００４４】
図５を用いて、光源部５０の周囲部品の構成について説明する。なお、図５は、光源部５０の周囲部品の構成を表す斜視図である。
【００４５】
上述したように、本体１０の底部１０Ｂの下面には、光源部５０と、保持部材５５と、２つの接続部材５６と、が取り付けられる。
【００４６】
保持部材５５は、ＸＹ平面において略中央部が開口された長円形状に形成される。保持部材５５の開口された略中央部には、光源部５０が保持される。保持部材５５は、絶縁樹脂材料で形成される。保持部材５５は、白色である。
【００４７】
接続部材５６は、光源部５０を支持し、かつ、通電用のコネクタとして機能する。接続部材５６は、内部に電極部を備える。接続部材５６は、絶縁樹脂材料で形成される。接続部材５６は、白色である。
【００４８】
電極部は、金属などの導電性材料を用いて形成される。電極部は、光源部５０に設けられた一対の電極端子（図示なし）にそれぞれ接触される。一方の接続部材５６には高電位側の配線が、他方の接続部材５６には低電位の配線がそれぞれ電気的に接続される。
【００４９】
本開示の「光源部の周囲部品」は、本実施形態の保持部材５５および接続部材５６が相当するが、これに限定されない。本開示の「光源部の周囲部品」は、光源部５０の周囲に設けられるその他の部品を含む。
【００５０】
光源部５０の周囲部品の作用および効果について説明する。例えば、光源部５０の周囲部品を黒色とした場合には、光源部５０の周囲部品が光源部５０からの光を吸収して温度上昇する。しかし、本実施形態のように、光源部５０の周囲部品を白色とすることによって、周囲部品が光源部５０からの光を吸収して温度上昇することはない。このようにして、光源部５０の周囲部品を白色とすることによって、周囲部品の温度上昇を防止することができる。
【００５１】
図６および図７を用いて、遮光板６０の構成について説明する。図６は、遮光板６０の構成を表す斜視図である。図７は、遮光板６０の構成を表す側面断面図である。上述したように、遮光板６０は、照明器具１００が「鉛直状態」であるとして、図７に示すＹＺ方向に従って説明する。
【００５２】
遮光板６０は、光源部５０から出射される光の一部を遮断する機能を有する。遮光板６０は、上述したように取付台２０の内部に収納される。遮光板６０は、取付台２０の内部において、光源部５０とレンズ７０との間に設けられる。
【００５３】
遮光板６０は、円形の開口部６５が形成される略円盤形状に形成される。開口部６５の中心は、光軸Ｊの中心と略一致する。遮光板６０は、本体６１と、壁部６２と、取り付け部６３と、を備える。
【００５４】
本体６１は、円形の開口部６１Ａが形成される円盤形状に形成される。本体６１の下面(レンズ７０と対向する面)は、黒色である。
【００５５】
壁部６２は、Ｚ方向の下方に向かって拡径する略筒形状に形成される。壁部６２は、本体６１の開口部６１Ａに沿って形成される。壁部６２の上端は、開口部６５を形成する。壁部６２の内面（レンズ７０を向く面）は、黒色である。
【００５６】
取り付け部６３は、本体６１の外側に向けて突出して形成される。取り付け部６３は、取付台２０の内面に固定される。
【００５７】
遮光板６０の作用および効果について説明する。遮光板６０によれば、白色である光源部５０の周囲部品から反射した光がレンズ７０に入射することを防止することができる。
【００５８】
遮光板６０によれば、開口部６５を形成することによって、光源部５０から出射された光をレンズ７０に確実に入射することができる。
【００５９】
遮光板６０によれば、本体６１の下面および壁部６２の内面を黒くすることによって、本体６１の下面および壁部６２の内面で反射した光の光ムラを抑制することができる。
【００６０】
照明器具１００の効果について説明する。照明器具１００によれば、反射板４０を大きく傾斜させたときの光漏れを防止することができる。
【００６１】
すなわち、照明器具１００によれば、反射板４０に壁部４２を形成することによって、照明器具１００が「最大傾斜状態」の場合であっても、反射板４０と支持台３０との隙間から光が漏れることはない。
【符号の説明】
【００６２】
１０  本体、２０  取付台、３０  支持台、４０  反射板、４１Ａ  小径端部、  ４１Ｃ  内面、４２  壁部、４２Ａ  側端面、４２Ｂ  内面、４３  バネ保持部、４４  ワイヤー固定部、５０  光源部、５５  保持部材（光源部５０の周囲部品）、５６  接続部材（光源部５０の周囲部品）、６０  遮光板、６１Ａ  開口部、７０  レンズ、１００  照明器具、Ｊ  光軸、Ｓ  板バネ
【図１】
2020145134.tif 000003
【図２】
2020145134.tif 000004
【図３】
2020145134.tif 000005
【図４】
2020145134.tif 000006
【図５】
2020145134.tif 000007
【図６】
2020145134.tif 000008
【図７】
2020145134.tif 000009